(57)【要約】【課題】壁面から落下しにくく、光ディスクケースを壁面に安定して展示することができる光ディスクケース用壁面展示具を提供する。【解決手段】光ディスクケースを壁面に展示するためのＣＤケース用壁面展示具１００であって、前記光ディスクケースの背面と対向する板状の本体部１０と、本体部１０の三方側面に設けられ、前記光ディスクケースの左右側面及び下面と対向する側壁部２０と、前記光ディスクケースの正面と対向する正面パネル部３０とを備える。【選択図】図１
2019107041.tif 000002
【特許請求の範囲】
【請求項１】
光ディスクケースを壁面に展示するための光ディスクケース用壁面展示具であって、
前記光ディスクケースの背面と対向する板状の本体部と、
前記本体部の三方側面に設けられ、前記光ディスクケースの左右側面及び下面と対向する側壁部と、
前記光ディスクケースの正面と対向する正面パネル部と、
を備えることを特徴とする光ディスクケース用壁面展示具。
【請求項２】
前記正面パネル部は、上面が開口した正面視コの字形状である
請求項１に記載の光ディスクケース用壁面展示具。
【請求項３】
前記正面パネル部の前記光ディスクケースの正面と対向する部分の幅寸法は、２０ｍｍ以下である
請求項２に記載の光ディスクケース用壁面展示具。
【請求項４】
前記本体部、前記側壁部及び前記正面パネル部により構成される光ディスクケース収納部の寸法は、中に収納される光ディスクケースの寸法よりも少し大きい
請求項３に記載の光ディスクケース用壁面展示具。
【請求項５】
前記光ディスクケースは、ＣＤケース、ＤＶＤケースまたはＢＤケースである
請求項１〜４のいずれか一項に記載の光ディスクケース用壁面展示具。
【発明の詳細な説明】
【技術分野】
【０００１】
本発明は、ＣＤ（Compact  Disc）ケースや、ＤＶＤ（Digital  Versatile  Disc）ケース等の光ディスクケースを壁面に展示するための光ディスクケース用壁面展示具に関する。
【背景技術】
【０００２】
従来、お気に入りのＣＤケースのジャケットを壁面に展示する手法としては、例えば、ＣＤケース壁掛け展示保持具が使用される。このようなＣＤケース壁掛け展示保持具としては、例えば、「一個、ないし、複数個の同型本体から構成され、本体単一で壁面に取り付け可能な固定手段と、該本体単一で壁面に固定した基本となる本体の下方に連続して複数個の同型本体の接続を可能にする連接手段と、ＣＤケース背面上部と壁面の間に適宜空間を持たせた固定保持が可能な凹型収納部を有するＣＤケース壁掛け展示保持具」が提案されている（特許文献１）。
【０００３】
しかしながら、上記従来のＣＤケース壁掛け展示保持具は、多数のＣＤケースの展示を目的とし、ＣＤケースを前方に傾斜させているため、地震等でＣＤケースが落下しやすいという課題があった。
【先行技術文献】
【特許文献】
【０００４】
【特許文献１】特開２００１−１９７９８５号公報
【発明の概要】
【発明が解決しようとする課題】
【０００５】
本発明は、壁面から落下しにくく、光ディスクケースを壁面に安定して展示することができる光ディスクケース用壁面展示具を提供することを目的とする。
【課題を解決するための手段】
【０００６】
本発明の光ディスクケース用壁面展示具は、光ディスクケースを壁面に展示するための光ディスクケース用壁面展示具であって、前記光ディスクケースの背面と対向する板状の本体部と、前記本体部の三方側面に設けられ、前記光ディスクケースの左右側面及び下面と対向する側壁部と、前記光ディスクケースの正面と対向する正面パネル部と、を備えることを特徴とする。
【発明の効果】
【０００７】
本発明によれば、壁面から落下しにくく、光ディスクケースを壁面に安定して展示することができる。
【図面の簡単な説明】
【０００８】
【図１】本発明の一態様に係るＣＤケース用壁面展示具を示す図であり、（ａ）は正面図、（ｂ）は右側面図、（ｃ）は下面図である。
【図２】本発明の一態様に係るＤＶＤケース用壁面展示具を示す図であり、（ａ）は正面図、（ｂ）は右側面図、（ｃ）は下面図である。
【発明を実施するための形態】
【０００９】
＜概要＞
本発明の一態様に係る光ディスクケース用壁面展示具は、光ディスクケースを壁面に展示するための光ディスクケース用壁面展示具であって、前記光ディスクケースの背面と対向する板状の本体部と、前記本体部の三方側面に設けられ、前記光ディスクケースの左右側面及び下面と対向する側壁部と、前記光ディスクケースの正面と対向する正面パネル部と、を備えることを特徴としている。これにより、壁面から落下しにくく、光ディスクケースを壁面に安定して展示することができる。
【００１０】
実施形態の別態様に係る光ディスクケース用壁面展示具において、前記正面パネル部は、上面が開口した正面視コの字形状である。これにより、光ディスクケース用壁面展示具を正面からみた場合、コの字状の正面パネル部以外は開口しているため、中に収納した光ディスクケース内のジャケットが良く見えるようになる。
【００１１】
実施形態の別態様に係る光ディスクケース用壁面展示具において、前記正面パネル部の前記光ディスクケースの正面と対向する部分の幅寸法は、２０ｍｍ以下である。これにより、軽量化を図ることができ、中に収納した光ディスクケース内のジャケットがさらに良く見えるようになる。
【００１２】
実施形態の別態様に係る光ディスクケース用壁面展示具において、前記本体部、前記側壁部及び前記正面パネル部により構成される光ディスクケース収納部の寸法は、中に収納される光ディスクケースの寸法よりも少し大きい。これにより、光ディスクケースの取り出しが容易となる。
【００１３】
実施形態の別態様に係る光ディスクケース用壁面展示具において、前記光ディスクケースは、ＣＤケース、ＤＶＤケースまたはＢＤケースである。これにより、お気に入りのＣＤケース、ＤＶＤケースまたはＢＤケースのジャケットを壁面に展示して楽しむことができる。
【００１４】
以下、本発明の一態様に係る光ディスクケース用壁面展示具について、図面を参照して説明する。なお、本発明は、以下の実施形態に限定されるものではない。
【００１５】
＜第１の実施形態＞
光ディスクケース用壁面展示具の一例として、ＣＤケース用壁面展示具について説明する。
【００１６】
図１はＣＤケース用壁面展示具１００を示す図であり、（ａ）は正面図、（ｂ）は右側面図、（ｃ）は下面図である。
【００１７】
１．全体構成
本実施形態のＣＤケース用壁面展示具１００は、図１に示すように、板状の本体部１０と、本体部１０の三方側面に設けられる側壁部２０と、正面パネル部３０とを有する。
【００１８】
２．本体部
本体部１０は、矩形状の下部本体部１１と、台形状の上部本体部１２とを有し、壁面側に取り付けられる。
【００１９】
２−１．下部本体部
下部本体部１１は、ＣＤケースよりも一回り大きな矩形状であり、ＣＤケースの背面と対向する。
【００２０】
２−２．上部本体部
上部本体部１２は、上方に向かって幅が狭くなる台形状である。上部本体部１２を台形状とすることにより、ＣＤケース用壁面展示具１００を見たときに、家の屋根のように見える。
【００２１】
上部本体部１２の中央やや上方には、フック等で壁面に取り付けるための取付孔１３が設けられている。
【００２２】
ここでは、取付孔１３は１個であり、上側が細い長ナス形状をしている。
【００２３】
３．側壁部
側壁部２０は、側面視コの字状であり、右側壁部２１、左側壁部２２、下側側壁部２３からなる。
【００２４】
右側壁部２１はＣＤケースの右側面を保持し、左側壁部２２はＣＤケースの左側面を保持し、下側側壁部２３はＣＤケースの下面と対向する。
【００２５】
側壁部２０は、ＣＤケースを収納するためのスペーサー的な役割を果たし、ＣＤケースよりも一回り大きな奥行（Ｄ１）を有する。これにより、ＣＤケースをスムーズに収納することができる。
【００２６】
４．正面パネル部
正面パネル部３０は、正面視コの字状の薄板からなり、ＣＤケースの正面を保持し、ＣＤケースの落下等を防止する役割を主に果たす。
【００２７】
コの字の幅（Ｄ）は、ＣＤケースの保持、落下等を防止できれば狭くてもよく、ここでは１５ｍｍである。
【００２８】
両端の先端部３１は、ＣＤケースを取り出しやすいようにＲに面取りされている。
【００２９】
ＣＤケース用壁面展示具１００を正面からみた場合、コの字状の正面パネル部３０以外は開口しているため、収納したＣＤケース内のジャケットが良く見えるようになっている。また、正面パネル部３０は透明材料からなるため、正面パネル部３０の裏側に隠れた部分も正面パネル部３０を通して見ることができる。
【００３０】
５．ＣＤ収納部
ＣＤ収納部４０は、下部本体部１１、側壁部２０及び正面パネル部３０で構成される空間（図１において破線で囲まれた箇所）からなり、ここにＣＤケースを収納できる。ＣＤ収納部４０の上面及び正面（正面パネル部３０以外の面）は開口しているため、ＣＤケースの取り出しをスムーズに行うことができる。
【００３１】
６．材質、寸法等
ここでは、本体部１０、側壁部２０及び正面パネル部３０は、同一材質（透明性のあるプラスチック）の薄板（厚さ２ｍｍ）からなる。
【００３２】
ＣＤケースの寸法は、１枚入り、２枚入りによって厚さが異なるが、通常、横幅１４２ｍｍ、厚さ（奥行）１０．５〜２３ｍｍ、高さ１２４ｍｍである。
【００３３】
下部本体部１１の寸法は、横幅（Ｗ１）１４８ｍｍ、高さ（Ｈ１）１２６ｍｍである。
【００３４】
上部本体部１２の寸法は、下底（Ｗ２）はＷ１と同じであり、上底（Ｗ３）８８ｍｍ、高さ（Ｈ２）３４ｍｍである。
【００３５】
右側壁部２１の寸法は、奥行き（Ｄ１）２９ｍｍ、高さはＨ１と同じである。なお、右側壁部２１と左側壁部２２の寸法は同じである。
【００３６】
下側側壁部２３の横幅はＷ１と同じであり、奥行きはＤ１と同じである。
【００３７】
本体部１０、側壁部２０及び正面パネル部３０の厚さは前述の通り２ｍｍであるので、ＣＤ収納部４０の寸法は、横幅（Ｗ４）１４４ｍｍ、奥行き（Ｄ２）２５ｍｍ、高さ（Ｈ３）１２４ｍｍである。
【００３８】
７．製法
本実施形態のＣＤケース用壁面展示具１００は、例えば、透明性のあるプラスチック樹脂を金型に充填し成型することにより製造できる。
【００３９】
本実施形態のＣＤケース用壁面展示具１００によれば、お気に入りのＣＤケースのジャケットを壁面に展示して、部屋のインテリアとして楽しむことができる。また、ＣＤショップ等のお店でのＰＯＰ等として展示することもできる。
【００４０】
＜第２の実施形態＞
光ディスクケース用壁面展示具の一例として、ＤＶＤケース用壁面展示具について説明する。
【００４１】
図２はＤＶＤケース用壁面展示具２００を示す図であり、（ａ）は正面図、（ｂ）は右側面図、（ｃ）は下面図である。
【００４２】
１．全体構成
本実施形態のＤＶＤケース用壁面展示具２００は、図２に示すように、板状の本体部２１０と、本体部２１０の三方側面に設けられる側壁部２２０と、正面パネル部２３０とを有する。
【００４３】
２．本体部
本体部２１０は、矩形状の下部本体部２１１と、三角形状の上部本体部２１２とを有し、壁面側に取り付けられる。
【００４４】
２−１．下部本体部
下部本体部２１１は、ＤＶＤケースよりも一回り大きな矩形状であり、ＤＶＤケースの背面と対向する。
【００４５】
２−２．上部本体部
上部本体部２１２は、三角形状（二等辺三角形状）である。上部本体部１２を三角形状とすることにより、ＤＶＤケース用壁面展示具２００を見たときに、家の屋根のように見える。
【００４６】
上部本体部２１２の中央やや上方には、フック等で壁面に取り付けるための取付孔２１３が設けられている。
【００４７】
ここでは、取付孔２１３は１個であり、上側が細い長ナス形状をしている。
【００４８】
３．側壁部
側壁部２２０は、側面視コの字状であり、右側壁部２２１、左側壁部２２２、下側側壁部２２３からなる。
【００４９】
右側壁部２２１はＤＶＤケースの右側面を保持し、左側壁部２２２はＤＶＤケースの左側面を保持し、下側側壁部２２３はＤＶＤケースの下面と対向する。
【００５０】
側壁部２２０は、ＤＶＤケースを収納するためのスペーサー的な役割を果たし、ＤＶＤケースよりも一回り大きな奥行（ｄ１）を有する。これにより、ＤＶＤケースをスムーズに収納することができる。
【００５１】
４．正面パネル部
正面パネル部２３０は、正面視コの字状の薄板からなり、ＤＶＤケースの正面を保持し、ＤＶＤケースの落下等を防止する役割を主に果たす。
【００５２】
コの字の幅（ｄ）は、ＤＶＤケースの保持、落下等を防止できれば狭くてもよく、ここでは２０ｍｍである。
【００５３】
両端の先端部２３１は、ＤＶＤケースを取り出しやすいようにＲに面取りされている。
【００５４】
コの字状の正面パネル部２３０の左右両側には、貫通した長方形状の窓部２３２が所定の間隔で各５個（合計１０個）設けられている。
【００５５】
ＤＶＤケース用壁面展示具２００を正面からみた場合、コの字状の正面パネル部２３０以外は開口しているため、収納したＤＶＤケース内のジャケットが良く見えるようになっている。
【００５６】
また、正面パネル部２３０は透明材料からなるため、正面パネル部２３０の裏側に隠れた部分も正面パネル部２３０を通して見ることができる。
【００５７】
さらに、左右両側の５個（合計１０個）の窓部２３２は、貫通しているため、写真フィルム（ネガフィルム）のようにも見える。
【００５８】
５．ＤＶＤ収納部
ＤＶＤ収納部２４０は、下部本体部２１１、側壁部２２０及び正面パネル部２３０で構成される空間（図２において破線で囲まれた箇所）からなり、ここにＤＶＤケースを収納できる。ＤＶＤ収納部２４０の上面及び正面（正面パネル部２３０以外の面）は開口しているため、ＤＶＤケースの取り出しをスムーズに行うことができる。
【００５９】
６．材質、寸法等
ここでは、本体部２１０、側壁部２２０及び正面パネル部２３０は、同一材質（透明性のあるプラスチック）の薄板（厚さ２ｍｍ）からなる。
【００６０】
ＤＶＤケースの寸法は、１枚入り、２枚入りによって厚さが異なるが、通常、横幅１３６ｍｍ、厚さ（奥行）１４〜３２ｍｍ、高さ１９１ｍｍである。
【００６１】
下部本体部２１１の寸法は、横幅（ｗ１）１４２ｍｍ、高さ（ｈ１）１９３ｍｍである。
【００６２】
上部本体部２１２の寸法は、横幅はｗ１と同じであり、高さ（ｈ２）４７ｍｍである。
【００６３】
右側壁部２２１の寸法は、奥行き（ｄ１）３４ｍｍ、高さはｈ１と同じである。なお、右側壁部２２１と左側壁部２２２の寸法は同じである。
【００６４】
下側側壁部２２３の横幅はｗ１と同じであり、奥行きはｄ１と同じである。
【００６５】
本体部２１０、側壁部２２０及び正面パネル部２３０の厚さは前述の通り２ｍｍであるので、ＤＶＤ収納部２４０の寸法は、横幅（ｗ４）１３８ｍｍ、奥行き（ｄ２）３０ｍｍ、高さ（ｈ３）１９１ｍｍである。
【００６６】
また、窓部２３２の寸法は、横１４ｍｍ、高さ２０ｍｍである。一の窓部２３２と隣接する窓部２３２との間隔は１５ｍｍである。
【００６７】
７．製法
本実施形態のＤＶＤケース用壁面展示具２００は、例えば、透明性のあるプラスチック樹脂を金型に充填し成型することにより製造できる。
【００６８】
本実施形態のＤＶＤケース用壁面展示具２００によれば、お気に入りのＤＶＤケースのジャケットを壁面に展示して、部屋のインテリアとして楽しむことができる。また、ＤＶＤショップ等のお店でのＰＯＰ等として展示することもできる。
【００６９】
＜変形例＞
以上、一実施形態に係る光ディスクケース用壁面展示具を説明したが、本発明はこの実施形態に限られるものではなく、例えば、以下のような変形例であってもよい。また、実施形態と変形例とを組み合わせたものでもよいし、変形例同士を組み合わせたものでもよい。また、実施形態や変形例に記載していない例や要旨を逸脱しない範囲の設計変更があっても本発明に含まれる。
【００７０】
１．材質
実施形態においては、本体部、側壁部及び正面パネル部の材質として、透明性のあるプラスチックを使用したが、これに限定されるものではない。
【００７１】
また、本体部、側壁部及び正面パネル部は、全て同一材質を使用したが、異なる材質を組み合わせて使用してもよい。
【００７２】
ただし、正面パネル部の材質しとしては、透明性のある材質を使用することが好ましい。
【００７３】
２．寸法
実施形態において、本体部、側壁部及び正面パネル部の厚さは２ｍｍとしたが、これに限定されるものではない。
【００７４】
また、本体部、側壁部及び正面パネル部の寸法も、実施形態に限定されるものではない。
【００７５】
３．正面パネル部
実施形態において、正面パネル部は正面視コの字状としたが、形状等も実施形態に限定されるものではない。
【００７６】
４．上部本体部
第１の実施形態における上部本体部１２、第２の実施形態における上部本体部２１２の形状は特に限定はなく、例えば、楕円状等の他の形状でもよい。また、第１の実施形態における上部本体部１２の台形状と、第２の実施形態における上部本体部２１２の三角形状を入れ替えてもよい。
【００７７】
５．窓部
第２の実施形態において、正面パネル部２３０の左右両側に窓部２３２を形成したが、窓部２３２は省略してもよい。また、第１の実施形態の正面パネル部３０に窓部を形成しても差し支えない。
【００７８】
６．取付手段
実施形態では、取付孔にビス等で固定して光ディスクケース用壁面展示具を壁面に取り付けているが、壁面への取付手段については特に限定はない。また、取付孔の個数も１個に限定されず、取付孔を設ける位置も限定はない。
【００７９】
７．光ディスクケース
実施形態では光ディスクケースとして、ＣＤケース、ＤＶＤケースを使用したが、これらに限定されず、ＢＤ（Blu-ray（登録商標）  Disc）ケース、ＭＤ（Mini  Disc）ケース等であっても差し支えない。
【００８０】
なお、光ディスクケースに替えて、ＤＶＤケースやＣＤケース等と略同等の大きさの文庫本等の書籍を、展示しても差し支えない。
【符号の説明】
【００８１】
１０  本体部
２０  側壁部
３０  正面パネル部
１００  ＣＤケース用壁面展示具
２００  ＤＶＤケース用壁面展示具
２１０  本体部
２２０  側壁部
２３０  正面パネル部
【図１】
2019107041.tif 000003
【図２】
2019107041.tif 000004
【手続補正書】
【提出日】平成30年5月14日(2018.5.14)
【手続補正１】
【補正対象書類名】特許請求の範囲
【補正対象項目名】全文
【補正方法】変更
【補正の内容】
【特許請求の範囲】
【請求項１】
光ディスクケースを壁面に展示するための光ディスクケース用壁面展示具であって、
前記光ディスクケースの背面と対向する板状の本体部と、
前記本体部の三方側面に設けられ、前記光ディスクケースの左右側面及び下面と対向する側壁部と、
前記光ディスクケースの正面と対向する正面パネル部と、
を備え、
前記側壁部は、右側側壁部、左側側壁部及び下側側壁部であり、各側壁部は前記板状の本体部に対して垂直に設けられ、
前記正面パネル部は、前記板状の本体部と平行に設けられていることを特徴とする光ディスクケース用壁面展示具。
【請求項２】
前記正面パネル部は、上面が開口した正面視コの字形状である
請求項１に記載の光ディスクケース用壁面展示具。
【請求項３】
前記正面パネル部の前記光ディスクケースの正面と対向する部分の幅寸法は、２０ｍｍ以下である
請求項２に記載の光ディスクケース用壁面展示具。
【請求項４】
前記本体部、前記側壁部及び前記正面パネル部により構成される光ディスクケース収納部の寸法は、中に収納される光ディスクケースの寸法よりも少し大きい
請求項３に記載の光ディスクケース用壁面展示具。
【請求項５】
前記光ディスクケースは、ＣＤケース、ＤＶＤケースまたはＢＤケースである
請求項１〜４のいずれか一項に記載の光ディスクケース用壁面展示具。
【手続補正２】
【補正対象書類名】明細書
【補正対象項目名】０００９
【補正方法】変更
【補正の内容】
【０００９】
＜概要＞
本発明の一態様に係る光ディスクケース用壁面展示具は、光ディスクケースを壁面に展示するための光ディスクケース用壁面展示具であって、前記光ディスクケースの背面と対向する板状の本体部と、前記本体部の三方側面に設けられ、前記光ディスクケースの左右側面及び下面と対向する側壁部と、前記光ディスクケースの正面と対向する正面パネル部と、を備え、前記側壁部は、右側側壁部、左側側壁部及び下側側壁部であり、各側壁部は前記板状の本体部に対して垂直に設けられ、前記正面パネル部は、前記板状の本体部と平行に設けられていることを特徴としている。これにより、壁面から落下しにくく、光ディスクケースを壁面に安定して展示することができる。
【手続補正３】
【補正対象書類名】明細書
【補正対象項目名】００２３
【補正方法】変更
【補正の内容】
【００２３】
３．側壁部
側壁部２０は、正面視コの字状であり、右側壁部２１、左側壁部２２、下側側壁部２３からなる。
【手続補正４】
【補正対象書類名】明細書
【補正対象項目名】００４８
【補正方法】変更
【補正の内容】
【００４８】
３．側壁部
側壁部２２０は、正面視コの字状であり、右側壁部２２１、左側壁部２２２、下側側壁部２２３からなる。
【手続補正書】
【提出日】平成30年7月18日(2018.7.18)
【手続補正１】
【補正対象書類名】特許請求の範囲
【補正対象項目名】全文
【補正方法】変更
【補正の内容】
【特許請求の範囲】
【請求項１】
光ディスクケースを壁面に展示するための光ディスクケース用壁面展示具であって、
前記光ディスクケースの背面と対向する板状の本体部と、
前記本体部の三方側面に設けられ、前記光ディスクケースの左右側面及び下面と対向する側壁部と、
前記光ディスクケースの正面と対向する正面パネル部と、
を備え、
前記側壁部は、右側側壁部、左側側壁部及び下側側壁部であり、各側壁部は前記板状の本体部に対して垂直に設けられ、
前記正面パネル部は、前記板状の本体部と平行に設けられ、上面が開口した正面視コの字形状であることを特徴とする光ディスクケース用壁面展示具。
【請求項２】
前記正面パネル部の前記光ディスクケースの正面と対向する部分の幅寸法は、２０ｍｍ以下である
請求項１に記載の光ディスクケース用壁面展示具。
【請求項３】
前記本体部、前記側壁部及び前記正面パネル部により構成される光ディスクケース収納部の寸法は、中に収納される光ディスクケースの寸法よりも少し大きい
請求項２に記載の光ディスクケース用壁面展示具。
【請求項４】
前記光ディスクケースは、ＣＤケース、ＤＶＤケースまたはＢＤケースである
請求項１〜３のいずれか一項に記載の光ディスクケース用壁面展示具。
【手続補正２】
【補正対象書類名】明細書
【補正対象項目名】０００９
【補正方法】変更
【補正の内容】
【０００９】
＜概要＞
本発明の一態様に係る光ディスクケース用壁面展示具は、光ディスクケースを壁面に展示するための光ディスクケース用壁面展示具であって、前記光ディスクケースの背面と対向する板状の本体部と、前記本体部の三方側面に設けられ、前記光ディスクケースの左右側面及び下面と対向する側壁部と、前記光ディスクケースの正面と対向する正面パネル部と、を備え、前記側壁部は、右側側壁部、左側側壁部及び下側側壁部であり、各側壁部は前記板状の本体部に対して垂直に設けられ、前記正面パネル部は、前記板状の本体部と平行に設けられ、上面が開口した正面視コの字形状であることを特徴としている。これにより、壁面から落下しにくく、光ディスクケースを壁面に安定して展示することができる。